(57)【特許請求の範囲】
【請求項１】
電気・通信ケーブル配管等の本管と、隣接する管路とが、本管の半径分だけ本管の方が高くなるように段差をつけた並列状態にて配管し、
分岐口を有するサドル部と、該サドル部の分岐口の周壁より外方に向けて一体的に設けられた分岐管部とからなる管路分岐用継手であって、前記分岐管部が、前記サドル部に対して、略水平方向に向けられた管路分岐用継手を、前記本管の分岐管路を設ける部分の外面に沿うように装着し、
前記分岐管部の他端部に、隣接する管路の上方に位置し、略水平方向に向けた曲管を接続することを特徴とする分岐管路の配管方法。
【発明の詳細な説明】
【０００１】
【発明の属する技術分野】
本発明は、電気・通信ケーブル配管等の本管から分岐管を分岐させる分岐管路の配管方法に関するものである。
【０００２】
【従来の技術】
従来、本管から分岐管を分岐する方法としては、例えば、図５に示すように、サドル部ａに分岐管部ｂが斜め上方に鋭角に分岐され、その分岐管部ｂに、曲管ｃの一端部が接続され、曲管ｃの他端部の軸芯が水平になるようにされた分岐管継手を用いる方法が知られている（特開平８─３２６９７９号公報）。
【０００３】
このような従来の分岐管継手を用いて本管ｄからの分岐管路の分岐を行う場合、図６に示すように、管路が多条管路となっていることが多いので、本管ｄの側方部分に穿孔すると、分岐管部ｂの分岐方向にある別の隣接する配管ｅが邪魔となり、本管ｄの穿孔作業等がやりにくかったり、分岐管路の配管を行うことができなくなる場合があるため、本管ｄの頂部の０〜４５度付近を穿孔し、その部分に沿うようにサドル部ａを装着するようにして分岐配管作業を行っている。この場合、曲管ｃの他端部に接続するように配管する分岐管路の高さｈ１が大きくなるので、その高さを考慮して埋設深さを定めると、本管ｄの埋設深さを深くしておく必要があるという問題点がある。
【０００４】
又、図７に示すように、分岐配管が必要となる本管ｄの埋設高さを隣接する配管ｅの埋設高さよりも半径程度高くしておく、いわゆる段差付き配管工法が知られている。
しかしながら、上記のような従来の分岐管継手を用いて段差付き配管を行った場合、分岐管部ｂの傾斜角度を図６に示す場合に比べて若干緩くするような分岐配管を行うことにより、曲管ｃの他端部に接続するように配管する分岐管路の高さｈ２を、図１に示す高さｈ１よりは小さくすることができるとしても、やはり、分岐管路の高さｈ２が高さ大きくて、その高さを考慮して埋設深さを定めると、本管ｄの埋設深さを深くしておく必要があるという問題点がある。
【０００５】
【発明が解決しようとする課題】
本発明は、従来の問題点を解消し、段差付き配管を行った場合に、本管の埋設深さをあまり深くすることなく、分岐管路を容易に配管することができる分岐管路の配管方法を提供することを目的としてなされたものである。
【０００６】
【課題を解決するための手段】
本発明は、電気・通信ケーブル配管等の本管と、隣接する管路とが、本管の半径分だけ本管の方が高くなるように段差をつけた並列状態にて配管し、分岐口を有するサドル部と、該サドル部の分岐口の周壁より外方に向けて一体的に設けられた分岐管部とからなる管路分岐用継手であって、前記分岐管部が、前記サドル部に対して、略水平方向に向けられた管路分岐用継手を、前記本管の分岐管路を設ける部分の外面に沿うように装着し、前記分岐管部の他端部に、隣接する管路の上方に位置し、略水平方向に向けた曲管を接続するものである。
【０００７】
【作用】
本発明の分岐管路の配管方法は、電気・通信ケーブル配管等の本管と、隣接する管路とが、本管の半径分だけ本管の方が高くなるように段差をつけた並列状態にて配管した場合に、前記分岐管部が、前記本管の分岐管路を設ける部分に装着するサドル部に対して、略水平方向に向けられ、その分岐管部の他端部には、隣接する管路の上方に位置して、略水平方向に向けた曲管を接続するので、配管される分岐管路は、本管の頂部よりも高くなることがないため、本管の埋設深さを深くしておく必要がなく、又、本管の頂部の０〜４５度付近を穿孔して開口部を形成すればよいので、隣接する管路が邪魔となることがない。
【０００８】
【発明の実施の形態】
以下、本発明の実施の形態を図面を参照して説明する。
図１は、本発明の管路分岐用継手の一例を示す説明図である。
図１に示すように、この管路分岐用継手１は、サドル部１１と分岐管部１２とが一体的に設けられたものからなる。
【０００９】
サドル部１１は、管路を構成する本管２の分岐管路を設ける部分の外面に沿ってまたがるような鞍状のものであって、斜め上方に開口する分岐口１１１を有している。
分岐管部１２は、サドル部１１の分岐口１１１の周壁より外方に、一旦本管２の管軸と直交する略水平方向に向けた後、曲折部を経て、本管２の管軸方向に沿う略水平方向にのびるように設けられている。
【００１０】
次に、図１に示す管路分岐用継手を用いた分岐管の配管方法を図２を参照して説明する。
図２に示すように、分岐管路を形成する管路を構成する本管２と、隣接する管路３とが、本管２の半径分だけ本管２の方が高くなるように段差をつけた並列状態にて配管されている。
管路分岐用継手１のサドル部１１を、管路を構成する本管２の分岐管路を設ける部分の外面に沿ってまたがるように装着する。
【００１１】
そして、本管２に設けられた開口部２１とサドル部１１の分岐口１１１を合致させるように固定する。本管２の開口部２１の周囲の外面とサドル部１１の分岐口１１１の周囲の内面間を固定する。固定方法は、接着剤を用いた接着であってもよいて、電気融着方式であってもよい。
これにより、分岐管部１２は、本管２の管軸と直交する略水平方向に向けた後、曲折部を経て、本管２の管軸方向に沿う略水平方向にのびるように配設されている。分岐管部１２には、曲管４の一端部が接続され、曲管４の他端部は、その軸芯が本管２の管軸と直交する略水平方向に向けられている。
【００１２】
この分岐管部１２の曲管４の他端部に分岐管を順次接続していって、分岐管路を配管することになる。
このようにして配管される分岐管路は、管路分岐用継手１の分岐管部１２は、本管２の管軸と直交する略水平方向に向けた後、曲折部を経て、本管２の管軸方向に沿う略水平方向にのびるように配設されており、本管２の頂部よりも高くなることがないので、本管２の埋設深さを深くしておく必要がなく、又、本管２の頂部の０〜４５度付近を穿孔して開口部２１を形成すればよいので、隣接する管路３が邪魔となることがない。
【００１３】
図３は、本発明の管路分岐用継手の一例を示す説明図である。
図３に示すように、この管路分岐用継手５は、サドル部３１と分岐管部３２とが一体的に設けられたものからなる。
【００１４】
この管路分岐用継手５は、サドル部５１が、管路を構成する本管２の分岐管路を設ける部分の外面に沿って両側端が均等にまたがるような鞍状のものからなること以外は、図１を参照して説明したものと同じである。
【００１５】
次に、図３に示す管路分岐用継手を用いた分岐管の配管方法を図４を参照して説明する。
図４に示すように、分岐管路を形成する管路を構成する本管２と、隣接する管路３とが、本管２の半径分だけ本管２の方が高くなるように段差をつけた並列状態にて配管されている。
管路分岐用継手５のサドル部５１を、管路を構成する本管２の分岐管路を設ける部分の外面に沿ってまたがるように装着する。
【００１６】
そして、本管２に設けられた開口部２１とサドル部５１の分岐口５１１を合致させるように固定する。本管２の開口部２１の周囲の外面とサドル部５１の分岐口５１１の周囲の内面間を固定する。固定方法は、接着剤を用いた接着であってもよいて、電気融着方式であってもよい。
これにより、分岐管部５２は、本管２の管軸と直交する略水平方向に向けた後、曲折部を経て、本管２の管軸方向に沿う略水平方向にのびるように配設されている。
【００１７】
この分岐管部５２の端部に分岐管を順次接続していって、分岐管路を配管することになる。
このようにして配管される分岐管路は、管路分岐用継手５の分岐管部５２は、本管２の管軸と直交する略水平方向に向けた後、曲折部を経て、本管２の管軸方向に沿う略水平方向にのびるように配設されており、本管２の頂部よりも高くなることがないので、本管２の埋設深さを深くしておく必要がなく、又、本管２の頂部の０〜４５度付近を穿孔して開口部２１を形成すればよいので、隣接する管路３が邪魔となることがない。
【００１８】
【発明の効果】
本発明の分岐管路の配管方法は、上記のとおりの構成とされているので、段差付き配管を行った場合に、本管の埋設深さをあまり深くすることなく、分岐管路を容易に配管することができる。
【図面の簡単な説明】
【図１】  本発明の管路分岐用継手の一例を示す説明図であり、（ａ）はその正面図、（ｂ）はその平面図である。
【図２】  図１に示す管路分岐用継手を用いて分岐管路の配管を行う状態を説明する正面図である。
【図３】  本発明の管路分岐用継手の別の例を示す説明図であり、（ａ）はその正面図、（ｂ）はその平面図である。
【図４】  図３に示す管路分岐用継手を用いて分岐管路の配管を行う状態を説明する正面図である。
【図５】  従来の分岐管継手の一例を説明する説明図であり、（ａ）はその側面図、（ｂ）は曲管の部分を説明する説明図である。
【図６】  図５に示す従来の分岐管継手を用いて、分岐配管を行う状態の一例を説明する正面図である。
【図７】  図５に示す従来の分岐管継手を用いて、分岐配管を行う状態の別の例を説明する正面図である。
【符号の説明】
１，５  分岐管継手
２  本管
３  隣接する管路
４  曲管
１１，５１  サドル部
１２，５２  分岐管部
１１１，５１１  分岐口
２１  開口部
【図１】
0004420499.tif 000002
【図２】
0004420499.tif 000003
【図３】
0004420499.tif 000004
【図４】
0004420499.tif 000005
【図５】
0004420499.tif 000006
【図６】
0004420499.tif 000007
【図７】
0004420499.tif 000008